(57)【特許請求の範囲】
【請求項１】
前面開口部を有する断熱箱体は外箱と内箱との間に断熱材を発泡充填したもので、前記前面開口部は外箱前部と内箱前部とを有し、前記内箱前部は前記断熱箱体の開口面に略平行に延びた内箱平面部と、前記内箱平面部の貯蔵室側の端部に段差を設けた内箱段差部とを備え、前記内箱平面部と前記外箱前部とを固着したもので、前記内箱平面部の平面度を確保するために前記内箱平面部に、前記内箱平面部の長手方向に略平行に延伸され、前記内箱平面部より断熱材側に突起した内箱凹部を設け、前記内箱凹部の高さは前記内箱段差部の高さより小さく構成し、前記外箱前部は前記断熱箱体の開口面に略平行に延びた外箱平面部と、前記外箱平面部の前記内箱側の端部より前記断熱箱体の奥側方向に延びた外箱立上げ部とを備え、前記外箱立上げ部の端面は利用者から見えないように前記内箱段差部に配置され、前記内箱前部を前記外箱平面部の前記断熱材側に固着したことを特徴とする冷蔵庫。
【発明の詳細な説明】
【技術分野】
【０００１】
本発明は冷蔵庫の断熱箱体の構造に関するものである。
【背景技術】
【０００２】
従来、冷蔵庫の断熱箱体の構造を簡素化するために、外箱と内箱とを接着剤あるいは粘着剤にて固着したものがある。（例えば、特許文献１参照）
図５は、前記公報に記載された従来の冷蔵庫の概略構成斜視図、図６は、図５のＡ−Ａ線断面図を示すものである。
【０００３】
図５、図６に示すように、冷蔵庫１の断熱箱体２は、外箱３と内箱４との間に発泡断熱材５を充填発泡して構成される。外箱３は、外箱前面フランジ３ａを内側に折返して折返し部３ｂを形成している。また、内箱４は内箱前面フランジ４ａを備え、内箱フランジ４ａの外面と、折返し部３ｂを除く外箱前面フランジ３ａの内面とを接着剤あるいは粘着剤などの固着剤６にて固着している。
【先行技術文献】
【特許文献】
【０００４】
【特許文献１】実開昭５８−１１１８９３号公報
【発明の概要】
【発明が解決しようとする課題】
【０００５】
しかしながら、前記従来の構成では、折返し部３ｂを内箱前面フランジ４ａと固着していないので、例えば発泡断熱材５を充填発泡する時や、冷蔵庫１を運転して冷蔵庫１の内部が冷却された時などに、外箱３と内箱４との間に隙間が発生し、外観意匠を損ねる可能性があるという課題を有していた。
【０００６】
また、内箱前面フランジ４ａは断熱箱体２の大きさに合わせて形成され、その長手方向の長さは大型冷蔵庫においては１５００ｍｍ以上になることもあるが、内箱４を成型する際の内箱前面フランジ４ａの波打ちや反りを防止しないと、容易に外箱３と内箱４との間に隙間が発生してしまうため、内箱前面フランジ４ａの長さは、固着強度が許す限り短い方が安定した成型と固着とを実現しやすい。
【０００７】
しかしながら、本従来の構成の場合では、内箱前面フランジ４ａが固着剤６による固着部を超えて長く略平面状に形成されており、波打ちや反りを防止するための高度な成型技術を要するという課題も有していた。
【０００８】
高度な成型技術を実現するためには、複雑な金型構造や設備が必要であり、設備投資額が増大してしまう。
【０００９】
特に雄型の真空成型にて内箱４を成型する場合には、内箱４の奥面に比べて内箱前面フランジ４ａの方が肉厚が薄くなる傾向になるため、波打ちや反り対策が必須となる。
【課題を解決するための手段】
【００１０】
前記従来の課題を解決するために、本発明の冷蔵庫は、前面開口部を有する断熱箱体は外箱と内箱との間に断熱材を発泡充填したもので、前記前面開口部は外箱前部と内箱前部とを有し、前記内箱前部は前記断熱箱体の開口面に略平行に延びた内箱平面部と、前記内箱平面部の貯蔵室側の端部に段差を設けた内箱段差部とを備え、前記内箱平面部と前記外箱前部とを固着したもので、前記内箱平面部の平面度を確保するために前記内箱平面部に、前記内箱平面部の長手方向に略平行に延伸され、前記内箱平面部より断熱材側に突起した内箱凹部を設け、前記内箱凹部の高さは前記内箱段差部の高さより小さく構成し、前記外箱前部は前記断熱箱体の開口面に略平行に延びた外箱平面部と、前記外箱平面部の前記内箱側の端部より前記断熱箱体の奥側方向に延びた外箱立上げ部とを備え、前記外箱立上げ部の端面は利用者から見えないように前記内箱段差部に配置され、前記内箱前部を前記外箱平面部の前記断熱材側に固着したものである。
【００１１】
これにより、内箱前部において内箱フランジ長さを最小限にて形成することができ、内箱成型時の内箱平面部の波打ちや反りを防止できる。
【００１２】
また、内箱段差部を設けることにより、内箱前部の断面２次モーメントが増大して内箱前部の剛性が高まるので、外箱と内箱との固着が容易になる。
【発明の効果】
【００１３】
本発明の冷蔵庫は、内箱成型のために複雑な金型構造や設備を用いなくても、安定して冷蔵庫の外観意匠を確保することができる。
【図面の簡単な説明】
【００１４】
【図１】本発明の実施の形態１における冷蔵庫の正面図
【図２】図１の冷蔵庫のＢ−Ｂ線要部断面図
【図３】本発明の実施の形態２における冷蔵庫の図２に相当するＢ−Ｂ線要部断面図
【図４】本発明の実施の形態３における冷蔵庫の図２に相当するＢ−Ｂ線要部断面図
【図５】従来の冷蔵庫の概略構成斜視図
【図６】図５のＡ−Ａ線断面図
【発明を実施するための形態】
【００１５】
第１の発明は、前面開口部を有する断熱箱体は外箱と内箱との間に断熱材を発泡充填したもので、前記前面開口部は外箱前部と内箱前部とを有し、前記内箱前部は前記断熱箱体の開口面に略平行に延びた内箱平面部と、前記内箱平面部の貯蔵室側の端部に段差を設けた内箱段差部とを備え、前記内箱平面部と前記外箱前部とを固着したもので、前記内箱平面部の平面度を確保するために前記内箱平面部に、前記内箱平面部の長手方向に略平行に延伸され、前記内箱平面部より断熱材側に突起した内箱凹部を設け、前記内箱凹部の高さは前記内箱段差部の高さより小さく構成し、前記外箱前部は前記断熱箱体の開口面に略平行に延びた外箱平面部と、前記外箱平面部の前記内箱側の端部より前記断熱箱体の奥側方向に延びた外箱立上げ部とを備え、前記外箱立上げ部の端面は利用者から見えないように前記内箱段差部に配置され、前記内箱前部を前記外箱平面部の前記断熱材側に固着したものである。
【００１６】
これにより、内箱前部において内箱フランジ長さを最小限にて形成することができ、内箱成型時の内箱平面部の波打ちや反りを防止できるので、内箱成型のために複雑な金型構造や設備を用いなくても、安定して冷蔵庫の外観意匠を確保することができる。
【００１７】
また、内箱段差部を設けることにより、内箱前部の断面２次モーメントが増大して内箱前部の剛性が高まるので、外箱と内箱とを容易に固着できる。
【００２５】
以下、本発明の実施の形態について、図面を参照しながら説明する。なお、本実施の形態によって本発明が限定されるものではない。
【００２６】
（実施の形態１）
図１は本発明の実施の形態１における冷蔵庫の正面図、図２は、図１のＢ−Ｂ線要部断面図を示すものである。
【００２７】
図１、図２において、冷蔵庫本体２０の断熱箱体２１は、例えばＡＢＳシートを雄型の真空成型にて形成された内箱２２と鋼板などの金属磁性体にて形成された外箱２３との間に断熱材２４を発泡充填した断熱壁から形成されるものであり、前面開口部２１ａを有し、仕切壁２５により、上部から冷蔵室２６、冷凍室２７、と複数の貯蔵室を形成している。
【００２８】
冷蔵室２６の保存設定温度は冷蔵温度帯に設定され、冷凍室２７の保存設定温度は冷凍温度帯に設定されている。
【００２９】
また、各貯蔵室には全閉時に前面開口部２１ａを閉塞し、断熱箱体２１と連結され、それぞれ断熱壁を有する冷蔵室ドア２６ａ、冷凍室ドア２７ａを備える。
【００３０】
また、断熱箱体２１は冷蔵庫本体２０を運転時に冷却する冷凍サイクル（図示せず）を備えている。
【００３１】
前面開口部２１ａは内箱前部２２ａと外箱前部２３ａとを備える。
【００３２】
外箱前部２３ａは断熱箱体２１の外表側面と一体に折り曲げ形成され、冷蔵庫本体２０の前面開口部２１ａの開口面と略平行に延びた外箱平面部２３ｂを有し、外箱平面部２３ｂの端面は各貯蔵室空間に配置されている。
【００３３】
内箱前部２２ａは、外箱前部２３ａよりも断熱材２４側に配置される。
【００３４】
内箱前部２２ａは内箱２２の上下面および両側面と一体成型にて形成され、外箱平面部２３ｂと略平行に延びた内箱平面部２２ｂと、内箱平面部２２ｂと内箱２２の上下面および両側面とを連結する内箱段差部２２ｃとを有する。すなわち、内箱段差部２２ｃは、内箱平面部２２ｂの貯蔵室側の端部に、断熱材２４側に凹んだ段差を設けたものである。
【００３５】
内箱段差部２２ｃは内箱平面部２２ｂの貯蔵室側の端部から冷蔵庫本体２０の奥方向に向かって略階段状に形成される。
【００３６】
また、内箱平面部２２ｂは、接着剤あるいは両面テープなどの粘着剤を用いた固着部材２８にて外箱平面部２３ｂの断熱材２４側にて前面開口部２１ａの全周を固着している。
【００３７】
この時、外箱平面部２３ｂの端面は内箱平面部２２ｂの貯蔵室側端部とほぼ同一、もしくは、内箱平面部２２ｂの貯蔵室側端部よりやや外側に位置し、固着部材２８で固着されていない外箱平面部２３ｂが内箱段差部２２ｃに露出しないように配置されている。
【００３８】
以上のように構成された冷蔵庫について、以下その動作、作用を説明する。
【００３９】
まず、内箱前部２２ａと外箱前部２３ａとを固着部材２８にて前面開口部２１ａの全周を固着しているので、断熱材２４を発泡充填しても断熱材２４が漏洩することは無い。
【００４０】
固着の際、内箱平面部２２ｂと外箱平面部２３ｂとを安定して固着させるためには、それぞれの平面度の確保が必要となる。
【００４１】
外箱２３は鋼板を利用しているので、外箱平面部２３ｂの平面度を確保することは比較的容易である。
【００４２】
一方、雄型の真空成型で形成した内箱２２は、成型の特質上、内箱平面部２２ｂが一番薄くなる傾向にあり、内箱平面部２２ｂにおいて成型時に波打ちや反りが発生しやすくなる。
【００４３】
しかしながら、本実施の形態では、内箱段差部２２ｃを設けることで、内箱平面部２２ｂの長さを最小限としており、波打ちや反りが発生しにくくなっている。
【００４４】
また、内箱段差部２２ｃを設けることで、内箱前部２２ａの断面２次モーメントが増大し、内箱前部２２ａの剛性が高まるので、更に波打ちや反りを防止したり、固着部材２８による固着を容易にしている。
【００４５】
また、外箱平面部２３ｂの端面が内箱段差部２２ｃに露出しないように配置されているので、利用者が外箱平面部２３ｂの端面に触れにくくなっている。
【００４６】
以上のように、本実施の形態では、内箱２２の成型のために複雑な金型構造や設備を用いなくても、内箱平面部２２ｂの平面度を確保することができ、冷蔵庫本体２０の外観意匠を安定して保つことができる。
【００４７】
また、固着部材２８による内箱平面部２２ｂと外箱平面部２３ｂとの固着が容易になり、更に外観意匠の安定性を高めることができる。
【００４８】
更に、利用者が外箱平面部２３ｂの端面に触れられる可能性も低減することができるので、冷蔵庫本体２０の安全性を確保することができる。
【００４９】
（実施の形態２）
図３は本発明の実施の形態２における冷蔵庫の図１のＢ−Ｂ線要部断面図を示すものである。なお、実施の形態１と同一の構成に関しては同一符号を付し、詳細な説明を省略する。
【００５０】
図３において、冷蔵庫本体１００の断熱箱体１０１は、例えばＡＢＳシートを雄型の真空成型にて形成された内箱１０２と鋼板などの金属磁性体にて形成された外箱１０３との間に断熱材１０４を発泡充填した断熱壁から形成されるものであり、前面開口部１０１ａを有している。
【００５１】
前面開口部１０１ａは内箱前部１０２ａと外箱前部１０３ａとを備える。
【００５２】
外箱前部１０３ａは断熱箱体１０１の外表側面と一体に折り曲げ形成され、冷蔵庫本体１００の前面開口部１０１ａの開口面と略平行に延びた外箱平面部１０３ｂを有し、外箱平面部２３ｂの端面は各貯蔵室空間に配置されている。
【００５３】
内箱前部１０２ａは、外箱前部１０３ａよりも断熱材１０４側に配置される。
【００５４】
内箱前部１０２ａは内箱１０２の上下面および両側面と一体成型にて形成され、外箱平面部１０３ｂと略平行に延びた内箱平面部１０２ｂと、内箱平面部１０２ｂと内箱１０２の上下面および両側面とを連結する内箱段差部１０２ｃとを有する。
【００５５】
内箱段差部１０２ｃは内箱平面部１０２ｂの貯蔵室側の端部から一旦冷蔵庫本体１００の前方向に突出し、外箱平面部１０３ｂの端面と同一、もしくは少し突出し、冷蔵庫本体１００の開口面方向の貯蔵室側に略平面状に伸びた後、内箱１０２の上下面および両側面と連結される。
【００５６】
また、内箱平面部１０２ｂは、接着剤あるいは両面テープなどの粘着剤を用いた固着部材１０５にて外箱平面部１０３ｂの断熱材１０４側にて前面開口部１０１ａの全周を固着している。
【００５７】
この時、外箱平面部１０３ｂの端面は内箱段差部１０２ｃに近接しており、端面が利用者から見えないように配置されている。
【００５８】
以上のように構成された冷蔵庫について、以下その動作、作用を説明する。
【００５９】
まず、内箱前部１０２ａと外箱前部１０３ａとを固着部材１０５にて前面開口部１０１ａの全周を固着しているので、断熱材１０４を発泡充填しても断熱材１０４が漏洩することは無い。
【００６０】
また、本実施の形態では、内箱段差部１０２ｃを設けることで、内箱平面部１０２ｂの長さを最小限としており、波打ちや反りが発生しにくくなっている。
【００６１】
また、内箱段差部１０２ｃを設けることで、内箱前部１０２ａの断面２次モーメントが増大し、内箱前部１０２ａの剛性が高まるので、更に波打ちや反りを防止したり、固着部材１０５による固着を容易にしている。
【００６２】
また、外箱平面部１０３ｂの端面が内箱段差部１０２ｃに露出しないように配置されているので、利用者が外箱平面部１０３ｂの端面を見たり、端面に触れることはない。
【００６３】
以上のように、本実施の形態では、内箱１０２の成型のために複雑な金型構造や設備を用いなくても、内箱平面部１０２ｂの平面度を確保することができ、冷蔵庫本体１００の外観意匠を安定して保つことができる。
【００６４】
また、固着部材１０５による内箱平面部１０２ｂと外箱平面部１０３ｂとの固着が容易になり、更に外観意匠の安定性が増す。
【００６５】
また、利用者が外箱平面部１０３ｂの端面で怪我することを防止できるので、冷蔵庫本体１００の安全性を確保することができる。
【００６６】
更に、外箱平面部１０３ｂの端面が利用者から見えないので、外箱１０３の材料に鋼板を使用しても、外箱平面部１０３ｂの錆による冷蔵庫本体１００の外観意匠の低下を防止できる。
【００６７】
（実施の形態３）
図４は本発明の実施の形態３における冷蔵庫の図１のＢ−Ｂ線要部断面図を示すものである。なお、実施の形態１または２と同一の構成に関しては同一の番号を付し、説明を省略する。
【００６８】
図４において、冷蔵庫本体２００の断熱箱体２０１は、例えばＡＢＳシートを雄型の真空成型にて形成された内箱２０２と鋼板などの金属磁性体にて形成された外箱２０３との間に断熱材２０４を発泡充填した断熱壁から形成されるものであり、前面開口部２０１ａを有している。
【００６９】
前面開口部２０１ａは内箱前部２０２ａと外箱前部２０３ａとを備える。
【００７０】
外箱前部２０３ａは断熱箱体２０１の外表側面と一体に折り曲げ形成され、冷蔵庫本体２００の開口面と略平行に延びた外箱平面部２０３ｂと、外箱平面部２０３ｂの貯蔵室側端部より立ち上げられ冷蔵庫本体２００の奥側かつ断熱材２０４側方向にカーリング加工をされた外箱立上げ部２０３ｃとを有し、外箱立上げ部２０３ｃの端面は各貯蔵室空間に配置されている。
【００７１】
内箱前部２０２ａは、外箱前部２０３ａよりも断熱材２０４側に配置される。
【００７２】
内箱前部２０２ａは内箱２０２の上下面および両側面と一体成型にて形成され、外箱平面部２０３ｂと略平行に延びた内箱平面部２０２ｂと、内箱平面部２０２ｂと内箱２０２の上下面および両側面とを連結する内箱段差部２０２ｃと、内箱平面部２０２ｂの長手方向に略平行に延伸され、内箱平面部２０２ｂより断熱材２０４側に突起した内箱凹部２０２ｄとを有する。
【００７３】
内箱段差部２０２ｃは内箱平面部２０２ｂの貯蔵室側の端部から冷蔵庫本体２００の奥方向に向かって略階段状に形成される。
【００７４】
また、内箱平面部２０２ｂは、接着剤あるいは両面テープなどの粘着剤を用いた固着部材２０５にて外箱平面部２０３ｂの断熱材２０４側にて前面開口部２０１ａの全周を固着している。
【００７５】
この時、外箱立上げ部２０３ｃは内箱段差部２０２ｃに収容されており、外箱立上げ部２０３ｃの端面が利用者から見えないように配置されている。
【００７６】
以上のように構成された冷蔵庫について、以下その動作、作用を説明する。
【００７７】
まず、内箱前部２０２ａと外箱前部２０３ａとを固着部材２０５にて前面開口部２０１ａの全周を固着しているので、断熱材２０４を発泡充填しても断熱材２０４が漏洩することは無い。
【００７８】
また、本実施の形態では、内箱段差部２０２ｃを設けることで、内箱平面部２０２ｂの長さを最小限としており、波打ちや反りが発生しにくくなっている。
【００７９】
また、内箱段差部２０２ｃを設けることで、内箱前部２０２ａの断面２次モーメントが
増大し、内箱前部２０２ａの剛性が高まるので、更に波打ちや反りを防止したり、固着部材２０５による固着を容易にしている。
【００８０】
更に内箱凹部２０２ｄを設けることで、内箱平面部２０２ｂの断面２次モーメントが増大し、より波打ちや反りが発生しにくくなると共に、固着部材２０５による固着を容易にしている。
【００８１】
また、外箱立上げ部２０３ｃを備えることで外箱前部２０３ａの断面２次モーメントが増大し、外箱前部２０３ａの剛性が高まるので、固着部材２０５による固着は、更に容易となる。
【００８２】
また、外箱平面部２０３ｂの端面が内箱段差部２０２ｃに収容されて、利用者が外箱平面部２３ｂの端面を見たり、端面に触れることはなく、しかも見栄え良くコンパクトに内箱前部２０２ａと外箱前部２０３ａとを配置している。
【００８３】
以上のように、本実施の形態では、内箱２０２成型のために複雑な金型構造や設備を用いなくても、内箱平面部２０２ｂの平面度を確保することができ、冷蔵庫本体２００の外観意匠を安定して保つことができる。
【００８４】
また、固着部材２０５による内箱平面部２０２ｂと外箱平面部２０３ｂとの固着が容易になり、更に外観意匠の安定性が増す。
【００８５】
また、利用者が外箱立上げ部２０３ｃの端面で怪我することを防止できるので、冷蔵庫本体２００の安全性を確保することができる。
【００８６】
更に、外箱立上げ部２０３ｃの端面が利用者から見えないので、外箱２０３の材料に鋼板を使用しても、外箱立上げ部２０３ｃの錆による冷蔵庫本体２００の外観意匠の低下を防止できる。
【産業上の利用可能性】
【００８７】
以上のように、本発明にかかる冷蔵庫は、内箱成型のために複雑な金型構造や設備を用いなくても、断熱箱体の外観意匠を確保することができるので、内箱と外箱を備えたあらゆる断熱箱体に適用できる。
【符号の説明】
【００８８】
２０，１００，２００  冷蔵庫本体
２１，１０１，２０１  断熱箱体
２１ａ，１０１ａ，２０１ａ  前面開口部
２２，１０２，２０２  内箱
２２ａ，１０２ａ，２０２ａ  内箱前部
２２ｂ，１０２ｂ，２０２ｂ  内箱平面部
２２ｃ，１０２ｃ，２０２ｃ  内箱段差部
２０２ｄ  内箱凹部
２３，１０３，２０３  外箱
２３ａ，１０３ａ，２０３ａ  外箱前部
２３ｂ，１０３ｂ，２０３ｂ  外箱平面部
２０３ｃ  外箱立上げ部
２４，１０４，２０４  断熱材
２６  冷蔵室
２７  冷凍室
２８，１０５，２０５  固着部材
【図１】
0005934910.tif 000002
【図２】
0005934910.tif 000003
【図３】
0005934910.tif 000004
【図４】
0005934910.tif 000005
【図５】
0005934910.tif 000006
【図６】
0005934910.tif 000007